(57)【特許請求の範囲】
【請求項１】
複数の回線を制御可能な交換機において、ＯＤ信号方式の回線を複数収容する回線パッケージに対して、回線毎にＯＤ信号方式の加入者側インタフェースあるいはＯＤ信号方式のトランク側インタフェースで動作するように指定できる設定手段とその回線属性を表示する表示手段をもつことを特徴とし、収容された複数の回線毎にその回線属性を指定し設定して、パッケージの正面パネルに表示することを特徴とする回線属性表示方式。
【請求項２】
パッケージ側に回線属性を設定する手段と回線属性を表示する手段とを有することを特徴とする請求項１に記載の回線属性表示方式。
【請求項３】
主装置側に回線属性を設定する手段を有し、パッケージ側に回線属性を表示する手段を有し、主装置から回線属性を指定し設定して、パッケージの正面パネルに表示することを特徴とする請求項１に記載の回線属性表示方式。
【請求項４】
請求項１または３に記載の回線属性表示方式において、
主装置で回線毎にその信号方式の属性種別を設定し記憶する記憶機能と前記属性種別をパッケージにダウンロードしてその回線属性に従って動作するようにできるダウンロード機能を設け、また、パッケージにその回線属性の表示手段を設け、収容された複数の回線毎に主装置からその回線属性を指定し設定した後、パッケージの正面パネルにその回線属性を表示することを特徴とする回線属性表示方式。
【発明の詳細な説明】
【０００１】
【発明の属する技術分野】
本発明は、回線属性表示方式、特に、交換機での回線収容の効率化、簡単化等に効果を発揮することを可能ならしめた方式に関する。
【０００２】
【発明の背景、および発明が解決しようとする課題】
交換制御を行う交換機は、情報通信の進展によって、その機能の一層の高度化、多様化等が求められている。高度情報化社会の発展は、それ伴い、加入者数の増加をもたらし、端末（ユーザ）側の収容回線、網（トランク）側の収容回線の増大をもたらすとともに、属性の異なる回線を収容することも要求される。
【０００３】
このため、回線収容の効率化や簡単化等の面で、これらに適切かつ容易に対応しうる柔軟性の高いシステムの構築は、たとえば交換機設置時や設置後の回線増設時などにおいても、従前にも増し重要である。あるいはまた、多数の回線の交換制御を行うという高度の信頼性が要求される交換機の性質上、その保守・運用面での管理や、万が一の障害時の迅速な対応の確保なども、より重要なものとなる。
【０００４】
図６は従来考えられる交換機の接続構成の説明図、図７は同じく交換機での機能分担図、図８は同じく従来方式による交換機での回線の収容図である。
図６においては、公衆Ｎ−ＩＳＤＮ１０、Ｉインタフェース専用線網２０、ディジタル専用線網３０、専用線網４０、アナログ専用線網５０によるものが示されている。公衆Ｎ−ＩＳＤＮ１０、Ｉインタフェース専用線網２０、ディジタル専用線網３０、専用線網４０、アナログ専用線網５０と交換機の主装置間は、ＰＲＩ−ＮＴ１１およびＰＲＩ−ＴＲＫ２１１（１．５Ｍ）の系を介して、またはＤＳＵ２１およびＤチャネル信号中継線トランク２１２（１．５Ｍ）の系を介して、またはＴＤＭ３１、個別線信号中継線トランク２１３（２Ｍ）およびＤチャネル信号中継線トランク２１３′（２Ｍ）の系を介して、またはＯＤトランク２１４（ＯＤ）を介して、またはＬＤトランク２１５（ＬＤ）を介して、図示の如くに接続構成することができ、主装置から端末装置へは、ＰＲＩ−ＬＣ２２１（１．５Ｍ）およびＰＲＩ−ＴＥ１７を介して、または２Ｍ−ＬＣ２２３（２Ｍ）を介して、またはＯＤ−ＬＣ２２４（ＯＤ）を介して、またはＬＤ−ＬＣ２２５（ＬＤ）を介して、図示の如くに接続構成することができる。
もっとも、本発明に従う交換機における回線属性表示方式の適用の対象とし得るものは、例示した各信号方式のインタフェースの場合に限られない。
【０００５】
従来の交換機においては、図８に示すように、回線属性毎に１枚の回線パッケージで複数の回線を制御することで交換機に収容するようになす。
ここで、回線パッケージをみるに、たとえば、図６の専用線網４０のＯＤ信号方式では、信号インタフェースにおいて、ＯＤ−ＬＣ２２４は、ＳＳ／ＳＲ信号のＳＳ信号のオン／オフにより端末を呼び出す信号制御を行い、また、アナログ専用線網５０のＬＤ信号方式では、信号インタフェースにおいて、ＬＤ−ＬＣ２２５はリング信号のオン／オフにより端末を呼び出す信号制御を行い、またＬＤトランク２１５はループ信号により着信を検出する信号制御を行う機能を有する。
【０００６】
図７は、従来考えられる交換機の回線パッケージジと主装置の機能分担図を示し、さらに、下表１は、その機能分担の内容を示すものである。
【表１】
0003730472.tif 000002
図示のごとくに、交換機は、主装置内に中央処理装置ＣＣ、主記憶装置ＭＭ、ネットワークＮＴによる交換処理部を有する。
同図および表１に示されるように、交換機での機能分担は、回線パッケージはレイヤ１の終端およびレイヤ２の終端を分担し、主装置はレイヤ３の終端を分担し、したがって、かかる交換機においては、回線パッケージでレイヤ１（電気・物理インタフェース）および、レイヤ２（信号インタフェース）を終端し、主装置で、レイヤ３（ネットワークインタフェース）を主装置内の交換処理部による交換制御処理のソフトウェアにより終端して実現する。
【０００７】
しかるに、以下のような本発明者による考察によると、次に述べる（イ）〜（ニ）のようなことがいえる。
【０００８】
（イ）交換機でレイヤ１（電気・物理インタフェース）が同一で、レイヤ２（信号インタフェース）が異なる回線を１種穎のレイヤ１（電気・物理インタフェース）接続できるパッケージに収容しようとする場合、従来考えられるシステム構成ではレイヤ１（電気・物理インタフェース）毎、レイヤ２（信号インタフェース）毎に異なるパッケージで制御して回線を収容する必要がある。しかし、この方式では、属性の異なる回線を収容する毎に新しい収容パッケージが必要となるため収容パッケージの種類が多数必要となるという問題が生じる。
よって、望ましいのは、上記のような場合でも、1 つの電気・物理インタフェースを１枚のパッケージで収容可能で、信号インタフェースを回線毎に設定可能とし得て、収容パッケージの種類の削減が可能なことである。したがってまた、交換機での回線収容の効率化、簡単化が図れることである。
【０００９】
（ロ）さらには、交換機に収容された回線の属性に関し、これにつき主装置の正面から回線毎に種別を確認するには、主装置から回線の収容位置毎に登録状態をコンソールに出力して確認する必要があり、よって回線属性を主装置の正面から回線毎に一瞥して把握できるといった機能、手段までは有しない。
したがって、さらに望ましいのは、回線の属性を主装置の正面パネルから回線毎に種別を確認することが容易にできることである。
【００１０】
（ハ）交換機で保守・運用作業として、回線の状態確認や障害情報の確認管理を行う場合、従来考えられる回線の収容では、上記（ロ）のように回線ごとの属性が一瞥して把握が困難であるため、障害時の迅速な状況把握が困難となる。
たとえば、端末（ユーザ）側の収容回線であれば、障害は該当回線にローカライズされるが、網（トランク）側の収容回線であれば、集線して使用するため、障害は主装置全体に及ぶ重大な影響をシステムに与える結果となる。
よって、このような観点からも、望ましいのは、回線毎の属性が一瞥して把握容易であり、したがってまた、万一の障害時の迅速な状況把握も容易にできることである。
【００１１】
（ニ）また、従来、レイヤ１（電気・物理インタフェース）毎、レイヤ２（信号インタフェース）毎に異なる回線パッケージを準備しなければならず、これは煩雑を極めるものとなる。
よって、より望ましいのは、かかる煩雑さをも回避し得て収容が可能となることであり、こうした点でも、回線収容の効率化、簡単化が図れることである。
【００１２】
本発明は、上記のような考察に基づき、これらの点からの改良を加えようというものであり、上述のごとき不利等を改善し得て、回線収容の効率化、簡単化に寄与することのできる、交換機における回線属性表示方式を提供しようというものである。
【００１３】
【課題を解決するための手段、作用および効果】
本発明が背景とする交換機における回線属性表示方式では、交換機に回線属性を設定できる機能と設定された該回線属性を表示できる機能とを設け、収容した回線毎にその回線属性をパッケージの正面パネルに表示可能としたものである。
したがって、交換機において、たとえば、１つの電気・物理インタフェース（レイヤ１）に対して複数の回線属性を１枚の回線パッケージで制御可能な統合化した回線パッケージの回線属性をパッケージの正面パネルに表示することができる回線属性表示方式が提供される。
【００１４】
このような回線属性表示方式によると、
１．交換機でレイヤ１（電気・物理インタフェース）が同一で、レイヤ２（信号インタフェース）が異なる回線を１種類のレイヤ１（電気・物理インタフェース）接続できるパッケージに収容する場合、交換機に回線属性を設定できる機能を新たに設けたため、属性の異なる回線を収容する毎に新しい収容パッケージが不要となり、収容パッケージの種類が少なくなる効果が得られる。
２．また、収容した回線毎にその回線属性をパッケージの正面パネルに表示可能としたことにより、交換機に収容された回線の属性を主装置の正面から回線毎に種別を確認することが容易となり、主装置から回線の収容位置毎に登録状態をコンソールに出力して確認することが不要となり、回線属性を主装置の正面から回線毎に一瞥して把握できる。
３．かかるパッケージの正面パネルに表示可能な機能はまた、これにとどまらず、収容した回線毎にその回線属性をパッケージの正面パネルに表示可能としたことにより、交換機で保守・運用作業を行う際、回線の状態確認や障害情報の確認管理を行う場合、従来考えられる回線の収容では回線ごとの属性が一瞥して把握が困難であるのに対し、障害時の迅速な状況把握も容易なものとすることもできる。
４．さらにまた、主装置側に回線属性を設定する手段を具備させ、パッケージにはその回線属性を表示する手段を設けて、主装置から回線属性を指定し設定して、パッケージの正面パネルに表示するようになす構成とするか、
主装置で回線毎に信号方式の属性種別を設定し記憶する記憶機能と前記の属性種別をパッケージにダウンロードしてその回線属性に従って動作するようにできるダウンロード機能を設け、また、パッケージにその回線属性の表示手段を設け、収容された複数の回線毎に主装置からその回線属性を指定し設定した後、パッケージの正面パネルにその回線属性を表示するようになす構成とする場合には、そのようにすると、より効果的なものとなる。
この場合、従来、レイヤ１（電気・物理インタフェース）毎、レイヤ２（信号インタフェース）毎に異なる回線パッケージを準備しなければならないところ、回線の種別だけ収容パッケージを準備するのみで収容することを可能ならしめる。
【００１５】
よって、交換機における同一インタフェースに回線に対して回線属性を設定して回線属性が表示可能なため、
１つの電気・物理インタフェースを１枚のパッケージで収容可能となり、信号インタフェースを回線毎に設定可能とし得るため、収容パッケージの種類の削減が可能となり、
また、回線の属性を主装置の正面パネルから回線毎に種別を確認することが容易となり、
さらに、電気・物理インタフェース分の回線数だけ収容パッケージを準備するのみで収容が可能となる等の作用効果を奏し、
したがってまた、以上により、交換機での回線収容の効率化、簡単化等に寄与するところが大きいものである。
【００１６】
上記の回線属性表示方式は、好ましくは、次のような適用例１，２，３，４の構成とすることができ、たとえば、
複数の回線を制御可能な交換機において、ＩＳＤＮ一次群速度インタフエースのレイヤ１仕様（Ｉ４３１）を複数収容する回線パッケージに対して、回線毎にＩＳＤＮ一次群速度ユーザインタフェースのレイヤ２仕様（Ｑ９２１）あるいはＩＳＤＮ一次群速度網インタフエースのレイヤ２仕様（Ｑ９２１）あるいはＰＢＸ間ディジタルインタフエース（共通チャネル信号方式）のレイヤ２仕様（ＪＴ−Ｑ９２１−ａ）で動作するように指定できる設定手段とその回線属性を表示する表示手段を備え、収容された複数の回線毎にその回線属性を指定し設定して、パッケージの正面パネルに表示する構成として〔適用例１〕、
または、複数の回線を制御可能な交換機において、ＰＢＸ−ＴＤＭディジタルインタフエースの電気・物理条件（ＪＪ−２０．１１）を複数収容する回線パッケージに対して、回線毎にＰＢＸ−ＴＤＭディジタルインタフエース（ユーザ側）の信号規定（ＪＪ−２０．１２）あるいはＰＢＸ−ＴＤＭディジタルインタフエース（網側）の信号規定（ＪＪ−２０．１２）あるいはＰＢＸ間ディジタルインタフエース（共通チャネル信号方式）のレイヤ２仕様（ＪＴ−Ｑ９２１−ａ）で動作するように指定できる設定手段とその回線属性を表示する表示手段を備え、収容された複数の回線毎にその回線属性を指定し設定して、パッケージの正面パネルに表示する構成として〔適用例２〕、
または、複数の回線を制御可能な交換機において、ＯＤ信号方式の回線を複数収容する回線パッケージに対して、回線毎にＯＤ信号方式の加入者側インタフエースあるいはＯＤ信号方式のトランク側インタフエースで動作するように指定できる設定手段とその回線属性を表示する表示手段を備え、収容された複数の回線毎にその回線属性を指定し設定して、パッケージの正面パネルに表示する構成として〔適用例３（本発明の実施態様）〕、
または、複数の回線を制御可能な交換機において、ＬＤ信号方式の回線を複数収容する回線パッケージに対して、回線毎にＬＤ信号方式の加入者側インタフエースあるいはＬＤ信号方式のトランク側インタフエースで動作するように指定できる設定手段とその回線属性を表示する表示手段を備え、収容された複数の回線毎にその回線属性を指定し設定して、パッケージの正面パネルに表示する構成として〔適用例４〕、
それぞれ、同様にして冒頭の考察事項（イ）〜（ハ）の不利等を解消し得て、上記の１，２，３に基づき奏される作用効果を得ることができる。
【００１７】
ここに、上記の、ＩＳＤＮ一次群速度インタフエースのレイヤ１仕様（Ｉ４３１）等について、補足的に説明しておくと、これらは以下の内容、事項を意味する。
【００１８】
〔ＩＳＤＮ一次群速度インタフエースのレイヤ１仕様（Ｉ４３１）〕：
「規格：ＩＴＵ−Ｔ勧告Ｉ４３１  ＩＳＤＮ一次群速度ユーザ・網インタフェース  レイヤ１仕様」を指す。
【００１９】
〔ＩＳＤＮ一次群速度ユーザインタフェースのレイヤ２仕様（Ｑ９２１）〕：
「規格：ＩＴＵ−Ｔ勧告Ｑ９２１  ＩＳＤＮユーザ・網インタフェース  レイヤ２仕様のユーザ側記述」を指す。
【００２０】
〔ＩＳＤＮ一次群速度網インタフエースのレイヤ２仕様（Ｑ９２１）〕：
「規格：ＩＴＵ−Ｔ勧告Ｑ９２１  ＩＳＤＮユーザ・網インタフェース  レイヤ２仕様の網側記述」を指す。
【００２１】
〔ＰＢＸ間ディジタルインタフエース（共通チャネル信号方式）のレイヤ２仕様（ＪＴ−Ｑ９２１−ａ）〕：
「規格：ＴＴＣ標準ＪＴ−Ｑ９２１−ａ  ＰＢＸ間ディジタルインタフエース（共通チャネル信号方式）−レイヤ２仕様」を指す。
【００２２】
〔ＰＢＸ−ＴＤＭディジタルインタフエースの電気・物理条件（ＪＪ−２０．１１）〕：
「規格：ＴＴＣ標準ＪＪ−２０．１１  ＰＢＸ−ＴＤＭ間ディジタルインタフエース（個別信号方式）−電気・物理条件」を指す。
【００２３】
〔ＰＢＸ−ＴＤＭディジタルインタフエース（ユーザ側）の信号規定（ＪＪ−２０．１２）〕：
「規格：ＴＴＣ標準ＪＪ−２０．１２  ＰＢＸ−ＴＤＭ間ディジタルインタフエース（個別信号方式）−信号規定のユーザ側記述」を指す。
【００２４】
〔ＰＢＸ−ＴＤＭディジタルインタフエース（網側）の信号規定（ＪＪ−２０．１２）〕：
「規格：ＴＴＣ標準ＪＪ−２０．１２  ＰＢＸ−ＴＤＭ間ディジタルインタフエース（個別信号方式）−信号規定の網側記述」を指す。
【００２５】
さらに、上記〔適用例１〕〜〔適用例４〕に上記の４の構成を採用して、同様にして冒頭の考察事項（ニ）の不利等を解消し得て、上記の４に基づき奏される作用効果を得ることができる。
【００２６】
【発明の実施の形態】
以下、本発明の実施の形態を図面に基づき説明する。
図１〜図３は本発明の回線属性表示方式の一実施例の説明に供する図であって、図１は、交換機における同実施例の要部部分の概要説明図、図２は、同実施例に係る表示方式等の具体例の説明図、図３は、同実施例による表示部の一例を示す回線パッケージ正面図である。
【００２７】
図１に示すように、複数の回線を制御可能な交換機１００は、主装置１０１と回線パッケージ１０２−１〜１０２ｎとを有する。
ここでは、図示のごとく、該各回線パッケージが、属性設定手段１６１と属性表示手段１６２とを備える。したがって、図１は、本実施例に従って、各回線パッケージ１０２−１〜１０２ｎに、属性設定手段１６１と属性表示手段１６２とをもつ場合の構成を示す構成図である。かかる構成は、先にも触れた〔適用例１〕〜〔適用例４〕のいずれの態様にも対応できる。
なお、主装置１０１側に属性設定手段（１３１）を備える態様の構成については、後記で述べられる）。
【００２８】
ここに、属性設定手段１６１は、回線属性を設定できる機能を有し、その具体的な構成の一例は、図２に示される構成によるものとすることができる。
属性表示手段１６２は、属性設定手段１６１により設定される該回線属性を表示できる機能を有し、収容した回線毎にその回線属性をパッケージの正面パネルに表示可能なものである。同様に、その具体的な構成の一例は、図２に示される構成によるものとすることができる。
本実施例に従うと、属性設定手段１６１と属性表示手段１６２とを、ともに回線パッケージ側に設け、収容した回線毎にその回線属性をパッケージ１０２−１〜１０２ｎの正面パネルに表示可能とすることができる。
【００２９】
本発明の一実施例の詳細な説明図である図２においては、主装置１０１側の構成の一例が示されるとともに、回線パッケージ１０２−１〜１０２ｎのうちの、一の回線パッケージ１０２につき、その構成の一例が示される。
【００３０】
図２に示すように、構成要素として、主装置１０１側は、中央処理装置（ＣＣ）１４１と、主記憶装置（ＭＭ）１４２と、内部バスと、ネットワーク（ＮＷ）１４３と、パッケージ１０２との通信部１４４とを有し、これらを含んで構成される。
中央処理装置１４１がネットワーク１４３に接続され、中央処理装置１４１と回線パッケージ１０２とは、パッケージとの通信部１４４を介して接続され、主記憶装置１４２には、さらに、回線パッケージ１０２の回線を制御する回線制御部１４５が設けられる。
【００３１】
一方、図２に示すように、該回線パッケージ１０２は、回線終端部１７１とＳＤ／ＳＣＮインタフェースと主装置との通信部１７２を接続するプロセッサバスインタフェースを介して接続されるＭＰＵ１７３、主記憶装置（ＭＭ）１７４を含んで構成される。ここに、回線終端部１７１は、収容された回線の信号制御を行う。ＭＰＵ１７３は、主装置との通信部１７２を介して主装置１０１の中央処理装置１４１と通信を行う。
【００３２】
回線パッケージ１０２は、ここでは、さらに、回線属性の指定の用に供するスイッチ部（ＳＷ）１７５と、その表示の用に供される表示部（ＤＳＰ）１７７（該表示部は、たとえば、表示素子としての複数のランプ等を使用する構成とすることができる（図３参照））を有する。
【００３３】
スイッチ部１７５は、該スイッチ部で回線を指定し設定した際の情報を読み取ってＭＰＵ１７３に伝達するＳＣＮ部１７６を介して、また表示部１７７は、ＭＰＵ１７３の制御のもと、表示部１７７での切換え等の表示制御に用いられるＳＤ部１７８を介して、ＭＰＵ１７３、主記憶装置１７４に接続される。
したがって、図１の属性設定手段１６１は、かかる制御系の構成のもと、該スイッチ部１７５およびＳＣＮ部１７６を含んで構成され、同様にまた、属性表示手段１６２は、該表示部１７７およびＳＤ部１７８を含んで構成されるものとすることができ、ＳＤ部１７８には表示部１７７（ＤＳＰ）が接続され、ＳＣＮ部１７６には回線属性を指定するスイッチ部１７５（ＳＷ）が接続される。
【００３４】
さらに、回線パッケージ１０２側の主記憶装置（ＭＭ）１７４には、指定された回線属性が格納された回線種別部１７９が設けられている。該回線種別部への情報の格納、記憶もＭＰＵ１７３の制御のもとで実行される。
【００３５】
しかして、既述のように、回線終端部１７１は収容された回線の信号制御を行、ＭＰＵ１７３は通信部１７２を介して主装置１０１の中央処理装置（ＣＣ）１４１と通信を行い、主装置１０１側では、該中央処理装置（ＣＣ）１４１がネットワーク１４３に接続され、該中央処理装置（ＣＣ）１４１と回線パッケージ１０２は通信部１４４を介して接続されていて、主装置１０１側の主記憶装置（ＭＭ）１４２には回線パッケージ１０２の回線を制御する回線制御部１４５が設けられている。
ここに、本交換機１００では、明細書冒頭で考察したごとくに、たとえば、レイヤ１（電気・物理インタフェース）毎、レイヤ２（信号インタフェース）毎に異なるパッケージで制御して回線を収容する必要があって、したがって、属性の異なる回線を収容する毎に新しい収容パッケージが必要となるというようなこともない。１つの電気・物理インタフェース（レイヤ１）に対して複数の回線属性を１枚の回線パッケージで制御可能な統合化したものとでき、しかも、該回線パッケージの回線属性をパッケージの正面パネルに表示することができる。
【００３６】
図３には、回線パッケージ正面の属性設定手段１６１と属性表示手段１６２の一例が示される。回線パッケージ１０２は、主装置１０１の正面から見ることができるよう、そのパネル面が位置される正面パネル１０５を有する。
パネル１０５の前面には、図示のごとくに、たとえば、その前面下部部分に配置された属性設定手段１６１としての２個の属性設定スイッチ（ＳＷ）１７５（１），１７５（２）からなるスイッチ部１７５と、その前面上部部分に配置された属性表示手段１６２としての３個の属性表示ランプ１７７（１），１７７（２），１７７（３）からなる表示部１７７とを有する。
【００３７】
ここでは、該スイッチ１７５（１），１７５（２）による設定の態様、該ランプ１７７（１），１７７（２），１７７（３）に表示の態様との関係については、たとえば、以下のようなものとすることができる。
【表２】
0003730472.tif 000003
【００３８】
【表３】
0003730472.tif 000004
【００３９】
本例では、上記表２，３のごとくに、ＰＴＳスイッチ１７５（１）とＴＥＮＴスイッチ，１７５（２）のＯＮ“１”およびＯＦＦ“０”の組み合わせにより、これに応じて、ＩＴＫ（Ｄチャネル信号中継線トランク）用の表示ランプ１７７（１）、ＰＴＫ（ＰＲＩトランク）用の表示ランプ１７７（２）、ＰＬＣ（ＰＲＩ−ＬＣ）用の表示ランプ１７７（３）のうちの対応ランプが点灯する。
ここに、上記「Ｄチャネル信号中継線トランク」、「ＰＲＩトランク」、「ＰＲＩ−ＬＣ」については、図６，８におけるインタフェース要素のＤチャネル信号中継線トランク２１２（１．５Ｍ）、ＰＲＩ−ＴＲＫ２１１（１．５Ｍ）、ＰＲＩ−ＬＣ（１．５Ｍ）を対象としたものである。
【００４０】
したがって、図３は、より具体的にいえば、前記〔適用例１〕のような態様を示したものでもある。
すなわち、複数の回線を制御可能な交換機１００で、ＩＳＤＮ一次群速度インタフエースのレイヤ１仕様を複数収容する回線パッケージ１０２に対して、回線毎にＩＳＤＮ一次群速度ユーザインタフェースのレイヤ２仕様あるいはＩＳＤＮ一次群速度網インタフエースのレイヤ２仕様あるいはＰＢＸ間ディジタルインタフエース（共通チャネル信号方式）のレイヤ２仕様で動作するように指定できる設定手段とその回線属性を表示する表示手段を有して、収容された複数の回線毎にその回線属性を指定し設定して、パッケージ正面パネル１０５に表示するような構成となす場合での、その回線パッケージ１０２正面の属性設定手段１６１と属性表示手段１６２の一例を示すものである。
図３の例はまた、さらには、その設定手段１６１および表示手段１６２として、具体的には、回線パッケージ１０２のパネル１０５に設けたスイッチおよびランプで構成した例をも示すものである。
したがってまた、この場合、この図３および表２，３のように、回線パッケージ正面に配した属性設定スイッチスイッチ１７５（１），１７５（２）の設定により、その回線属性を設定可能であり、設定された回線属性に従ってその種別が、同じく回線パッケージ正面に配した属性表示ランプ１７７（１），１７７（２），１７７（３）の点灯により表示される。
【００４１】
図２による構成の場合、設定スイッチ部１７５による回線属性の指定、設定、および表示部１７７による表示は、以下のような動作に従って、たとえば、交換機１００の設置時に行うことができる。
図２において、交換機１００の設置時に回線の指定を回線パッケージ１０２の前面の設定スイッチ部１７５にて指定することができる。この場合、そのようにスイッチ部１７５にて指定すると、ＳＣＮ部材１７６がその情報を読み取り、ＭＰＵ１７３に伝達する。ＭＰＵ１７３は読み取った情報を主記憶装置（ＭＭ）１７４上の回線種別部１７９に記憶する。かくして、主記憶装置（ＭＭ）１７４上の回線種別部１７９に記憶設定される。さらに、ＭＰＵ１７３は主記憶装置（ＭＭ）１７４に記憶された該回線種別に従い、ＳＤ部１７６を制御して表示部（ＤＳＰ）１７７の回線種別に対応した該表示部のランプ等での表示を行わせる。前記〔適用例１〕のような態様で本方式を実施した場合の図３の例でいえば、それら表示ランプ１７７（１），１７７（２），１７７（３）のうちの該当する表示ランプを点灯することになる。
【００４２】
こうした点は、〔適用例２〕〜〔適用例４〕の場合についても同様にして、図１、図２の構成上、上述の動作に準じてその信号方式での指定、設定、表示を行わせることができる。
ここで、〔適用例１〕を含めて、〔適用例２〕〜〔適用例４〕の場合について、さらに、説明を加えておくと、以下のようなものとなる。
【００４３】
〔適用例１〕は、既に触れたとおり、１次群速度インタフェース収容した場合に対応する。
回線属性により、下表のごとく分類できる。
【表４】
0003730472.tif 000005
【００４４】
〔適用例２〕のような態様の場合；
すなわち、複数の回線を制御可能な交換機１００において、ＰＢＸ−ＴＤＭディジタルインタフェースの電気・物理条件を複数収容する回線パッケージ１０２に対して、回線毎にユーザ側のＰＢＸ−ＴＤＭディジタルインタフェースの信号規定あるいは網側のＰＢＸ−ＴＤＭディジタルインタフェースの信号規定あるいはＰＢＸ間ディジタルインタフェースのレイヤ２仕様で動作するように指定できる設定手段とその回線属性を表示する表示手段とを有して、収容された複数の回線毎にその回線属性を指定し設定して、パッケージ正面パネル１０５に表示するような構成となす態様は、２Ｍインタフェース収容した場合に対応するものである。
この場合は、回線属性により、下表のごとく分類できる。
【表５】
0003730472.tif 000006
【００４５】
ここに、上記「Ｄチャネル信号中継線トランク」、「２Ｍ−ＬＣ」、「個別線信号中継線トランク」については、図６，８におけるインタフェース要素のＤチャネル信号中継線トランク２１３′（２Ｍ）、２Ｍ−ＬＣ２１３（２Ｍ）、個別線信号中継線トランク２１３（２Ｍ）を対象としたものである。
【００４６】
〔適用例３〕のような態様で本発明を実施する場合；
すなわち、
複数の回線を制御可能な交換機１００において、ＯＤ信号方式の回線を複数収容する回線パッケージ１０２に対して、回線毎にＯＤ信号方式の加入者側インタフェースあるいはＯＤ信号方式のトランク側インタフェースで動作するように指定できる設定手段とその回線属性を表示する表示手段とを有して、収容された複数の回線毎にその回線属性を指定し設定して、パッケージ正面パネル１０５に表示するような構成となす態様は、本発明に従ってＯＤインタフェース収容した場合に対応するものである。
この場合は、回線属性により、下表のごとく分類できる。
【表６】
0003730472.tif 000007
【００４７】
ここに、上記「ＯＤ−ＬＣ」、「ＯＤトランク」については、図６，８におけるインタフェース要素のＯＤ−ＬＣ２２４（ＯＤ）、ＯＤトランク２１４（ＯＤ）を対象としたものである。また、信号インタフェースにおいて、ＯＤ−ＬＣは、ＳＳ／ＳＲ信号のＳＳ信号を１秒オン／２秒オフすることにより端末を呼び出す信号制御を行う。
【００４８】
〔適用例４〕のような態様の場合；
すなわち、
複数の回線を制御可能な交換機１００において、ＬＤ信号方式の回線を複数収容する回線パッケージ１０２に対して、回線毎にＬＤ信号方式の加入者側インタフェースあるいはＬＤ信号方式のトランク側インタフェースで動作するように指定できる設定手段とその回線属性を表示する表示手段とを有して、収容された複数の回線毎にその回線属性を指定し設定して、パッケージ正面パネル１０５に表示するような構成となす態様は、ＬＤインタフェース収容した場合に対応するものである。
この場合は、回線属性により、下表のごとく分類できる。
【表７】
0003730472.tif 000008
【００４９】
ここに、上記「ＬＤ−ＬＣ」、「ＬＤトランク」については、図６，８におけるインタフェース要素のＬＤ−ＬＣ２２５（ＬＤ）、ＬＤトランク２１５（ＬＤ）を対象としたものである。また、信号インタフェースにおいて、ＬＤ−ＬＣは、リンガ信号を１秒オン／２秒オフすることにより端末を呼び出す信号制御を行う。ＬＤトランクは、ループ信号により着信を検出する信号制御を行う。
【００５０】
これら〔適用例２〕〜〔適用例４〕の場合もまた同様に、交換機１００の設置時に回線の指定を回線パッケージ１０２の前面の設定スイッチ部１７５にて指定すると、ＳＣＮ部材１７６がその情報を読み取り、ＭＰＵ１７３に伝達し、ＭＰＵ１７３は読み取った情報を主記憶装置（ＭＭ）１７４上の回線種別部１７９に記憶し、かつまた、ＭＰＵ１７３は主記憶装置（ＭＭ）１７４に記憶された該回線種別に従い、ＳＤ部１７６を制御して、表示部（ＤＳＰ）１７７をもって、回線種別に対応した該表示部のランプ等を点灯することができる。
【００５１】
本実施例方式は、明細書冒頭での考察事項（イ）〜（ハ）の点から良好な解決策となり、回線収容の効率化や簡単化等の面で、適切かつ容易に対応しうる柔軟性の高いシステムが構築でき、また、高度の信頼性が要求される交換機の保守・運用面での管理や障害時の迅速な対応の確保などもより効果的に実現可能となる。
【００５２】
交換機で電気・物理インタフェースが同一で、信号インタフェースが異なる回線を１種類の電気・物理インタフェース（レイヤ１）接続できるパッケージに収容しようとする場合、従来考えられるシステム構成では電気・物理インタフェース毎、信号インタフェース毎に異なるパッケージで制御して回線を収容する必要があるが、しかし、この方式では、属性の異なる回線を収容する毎に新しい収容パッケージが必要となるため収容パッケージの種類が多数必要となるという問題が生じるのに対して、本実施例によれば、そうした問題も生ぜず、本方式では、交換機１００に回線属性を設定できる機能を新たに設けることができることから、属性の異なる回線を収容する毎に新しい収容パッケージが不要で、その分、収容パッケージの種類が少なくて済むものとなる（〔適用例１〕〜〔適用例４〕のいずれでも、これが解決を実現しうる）。
【００５３】
また、交換機に収容された回線の属性を主装置の正面から回線毎に種別を確認しようとしても、従来考えられる回線の収容では、主装置から回線の収容位置毎に登録状態をコンソールに出力して確認する以外に方法がなく、回線属性を主装置の正面から回線毎に一瞥して把握できる状態ではないのに対して、本実施例によれば、そうした不利等もなく、本方式では、収容した回線毎にその回線属性をパッケージ１０２の正面パネル１０５に表示可能としたことにより、交換機１００に収容された回線の属性を主装置１０１の正面から回線毎に種別を確認することが容易となり、主装置から回線の収容位置毎に登録状態をコンソールに出力して確認することが不要となり、回線属性を主装置１０１の正面から回線毎に一瞥して把握できる（〔適用例１〕〜〔適用例４〕のいずれでも、これが解決を実現しうる）。
【００５４】
さらにまた、交換機で保守・運用作業として、回線の状態確認や障害情報の確認管理を行おうとする場合、従来考えられる回線の収容では回線ごとの属性が一瞥して把握が困難であるため、障害時の迅速な状況把握が困難であり、たとえば、端末（ユーザ）側の収容回線であれば障害は該当回線にローカライズされるものの、網（トランク）側の収容回線であれば、集線して使用するため、障害は主装置全体に及ぶ重大な影響をシステムに与える結果を招くことともなるのに対し、本実施例によれば、そうした不利等もなく、本方式では、収容した回線毎にその回線属性をパッケージ１０２の正面パネル１０５に表示可能としたことにより、回線毎の属性が一瞥して把握容易であり、よって、万一の障害時の迅速な状況把握も容易にでき、高度の対応性を確保ことが可能である（〔適用例１〕〜〔適用例４〕のいずれでも、これが解決を実現しうる）。
【００５５】
次に、本発明の他の実施例を、図４，５により説明する。
図１〜図３による上記実施例（第１実施例）では、交換機に回線属性を設定できる機能と設定された該回線属性をパッケージ毎に表示できる機能とを設ける場合、各回線パッケージ１０２（１０２−１〜１０２−ｎ）に、属性設定手段１６１と属性表示手段１６２と具備せしめる構成について説明したが、本実施例（第２実施例）は、さらに一歩進めて、
主装置で回線毎にその信号方式の属性種別を設定し記憶する記憶機能と前記の属性種別をパッケージにダウンロードしてその回線属性に従って動作するようにできるダウンロード機能を設け、一方また、パッケージ側には、その回線属性の表示手段を設け、収容された複数の回線毎に主装置からその回線属性を指定し設定した後、パッケージの正面パネルにその回線属性を表示するようにし、回線に種別だけ収容パッケージを準備するのみで収容が可能となるようにしようというものである。
以下、前記第１実施例の場合と同様の部分については、同様の符号を付してその詳細な説明は省略し、本実施例の要部について説明する。
【００５６】
図４は、交換機における本実施例の要部部分の概要説明図で、第１実施例での図１に相当する図であり、同じく、図５は、交換機における本実施例の具体例の説明図で第１実施例での図２に相当する図である。
本実施例では、図４に示すように、主装置１０１は属性設定手段１３１とダウンロード手段１３２とを備え、各回線パッケージ１０２−１〜１０２ｎ側は属性表示手段１６２とダウンロード手段１６３とを備える。
【００５７】
よって、図４は、本実施例に従って、主装置１０１側に属性設定手段１３１をもち、主装置１０１側と回線パッケージ１０２−１〜１０２ｎ側のダウンロード手段１３２，１６３により、各回線パッケージの属性表示手段１６２を制御する場合の構成を示してある。ダウンロード手段１３２，１６３は、主装置１０１および各回線パッケージ間で、各回線パッケージと主装置１０１の通信処理部を介して通信を行うものとすることができる。本実施例の交換機１００の場合も、前記〔適用例１〕〜〔適用例４〕のいずれの態様にも対応できる。
【００５８】
属性設定手段１３１、属性表示手段１６２、およびダウンロード手段１３２，１６３の具体的な構成の一例は、図５に示される構成によるものとすることができる。
本実施例の詳細な説明図である図５においては、図２と対比すると、以下のごとくの構成要素の追加、除去がなされて構成されている。
【００５９】
図５に示すように、交換機１００の主装置１０１においては、図２による場合の構成に加えて、主装置１０１側の内部バスに保守コンソール（ＭＣ）制御部１５１が接続され、該保守コンソール制御部１５１に保守コンソール（ＭＣ）１５２が接続されている。さらに、主装置１０１側の主記録装置（ＭＭ）１４２には、保守コンソール１５２から指定された回線属性が格納された回線種別部１５３が設けられている。さらにまた、主記録装置１４２には該回線種別を回線パッケージ１０２側に送信するためのダウンロード送信処理部が１５４設けられている。他方、回線パッケージ１０２（１０２−１〜１０２ｎ）側をみると、ここでは、図２の場合のような設定スイッチ部１７５およびＳＮＣ部１７６は設けられていない。したがってまた、本実施例による場合の使用回線パッケージ１０２では、適用する回線パッケージ１０２個々に、その正面パネル１０５前面に図３の場合のような設定スイッチ（ＳＷ）は設けないで済み、その分、より簡単なものとなる。その一方で、該回線パッケージ側のＭＰＵ１７３は、主装置１０１側の中央処理装置（ＣＣ）１４１からのダウンロード通信情報を格納するために、主記憶装置（ＭＭ）１７４上にダウンロード受信処理部１８１を設けている。これにより、本実施例では、主装置１０１０側の保守コンソール（ＭＣ）１５２からの設定に従い、回線種別の設定が可能となる。
【００６０】
本実施例よる場合の回線属性の指定、設定、表示は、以下のようにして交換機１００の設置時等に行うことができる。
図５においては、交換機１００の設置時に回線の指定を保守コンソール１５２から指定することができる。
指定された回線種別は、保守運用処理コマンドにより、主装置１０１の主記憶装置（ＭＭ）部１４２の回線種別部１５３に格納される。格納された回線種別は、交換機１００の立ち上げ時あるいは回線パッケージの追加増設時に初期設定処理により主装置１０１側の主記憶装置（ＭＭ）１４２内のダウンロード送信処理部１５４から主装置１００側のパッケージとの通信処理部１４４、回線パッケージ１０２側の主装置との通信部１７２を介して、回線パッケージ１０２側の主記憶装置（ＭＭ）１７４内のダウンロード受信処理部１８１を通じて該主記憶装置（ＭＭ）１７４上の回線種別部１７９の記憶設定される。
さらに、回線パッケージ１０２のＭＰＵ１７３は、第１実施例で述べたのと同様にして（〔適用例１〕〜〔適用例４〕での説明と同様に）、主記憶装置（ＭＭ）１７４に記憶された該回線種別に従い、ＳＤ部１７６を制御して表示部（ＤＳＰ）１７７の回線種別に対応した該表示部のランプ点灯等での表示を行わせることができる。
【００６１】
このようにして、本実施例では、収容された複数の回線毎に主装置１０１からその回線属性を指定し設定した後、パッケージ１０２の正面パネル１０５にその回線属性を表示することができる。
本実施例（第２実施例）によっても、第１実施例と同様の作用効果を得ることができ、１つの電気・物理インタフェースを１枚のパッケージ１０２で収容可能となり、信号インタフェースを回線毎に設定可能としたため、収容パッケージの種類の削減が可能となる。また、回線の属性を主装置１０１の正面パネル１０５から回線毎に種別を確認することが容易となる。
さらに加えて、本実施例方式は、特に、明細書冒頭での考察事項（ニ）の点から良好な解決策ともなり、従来、電気・物理インタフェース（レイヤ１）毎、信号インタフェース（レイヤ２）毎に異なる回線パッケージを準備しなければならず、煩雑を極めるものであったのに対し、本実施例によれば、そうした不利等もなく、本方式では、電気・物理インタフェース分の回線数だけ収容パッケージを準備するのみで収容が可能となり、この点でも、交換機での回線収容の効率化、簡単化等に寄与するところ極めて大なる効果を奏し得る。
【００６２】
なお、本発明は、上記実施例に限定されるものではない。
たとえば、以上の記載内容は、以下のような発明と捉えることもできるものである。
【００６３】
〔付記項１〕（技術１）；
複数の回線を制御可能な交換機において、ＩＳＤＮ一次群速度インタフェースのレイヤ１仕様（Ｉ４３１）を複数収容する回線パッケージに対して、回線毎にＩＳＤＮ一次群速度ユーザインタフェースのレイヤ２仕様（Ｑ９２１）あるいはＩＳＤＮ一次群速度網インタフェースのレイヤ２仕様（Ｑ９２１）あるいはＰＢＸ間ディジタルインタフェース（共通チャネル信号方式）のレイヤ２仕様（ＪＴ−Ｑ９２１−ａ）で動作するように指定できる設定スイッチとその回線属性を表示する表示部を持つことを特徴とし、収容された複数の回線毎にその回線属性を指定し設定して、パッケージの正面パネルに表示する回線属性表示方式。
【００６４】
〔付記項２〕（技術２）；
複数の回線を制御可能な交換機において、ＰＢＸ−ＴＤＭディジタルインタフェースの電気・物理条件（ＪＪ−２０．１１）を複数収容する回線パッケージに対して、回線毎にＰＢＸ−ＴＤＭディジタルインタフェース（ユーザ側）の信号規定（ＪＪ−２０．１２）あるいはＰＢＸ−ＴＤＭディジタルインタフェース（網側）の信号規定（ＪＪ−２０．１２）あるいはＰＢＸ間ディジタルインタフェース（共通チャネル信号方式）のレイヤ２仕様（ＪＴ−Ｑ９２１−ａ）で動作するように指定できる設定スイッチとその回線属性を表示する表示部を持つことを特徴とし、収容された複数の回線毎にその回線属性を指定し設定して、パッケージの正面パネルに表示する回線属性表示方式。
【００６５】
〔付記項３〕（技術３）；
複数の回線を制御可能な交換機において、ＯＤ信号方式の回線を複数収容する回線パッケージに対して、回線毎にＯＤ信号方式の加入者側インタフェースあるいはＯＤ信号方式のトランク側インタフェースで動作するように指定できる設定スイッチとその回線属性を表示する表示部を持つことを特徴とし、収容された複数の回線毎にその回線属性を指定し設定して、パッケージの正面パネルに表示する回線属性表示方式。
【００６６】
〔付記項４〕（技術４）；
複数の回線を制御可能な交換機において、ＬＤ信号方式の回線を複数収容する回線パッケージに対して、回線毎にＬＤ信号方式の加入者側インタフェースあるいはＬＤ信号方式のトランク側インタフェースで動作するように指定できる設定スイッチとその回線属性を表示する表示部を持つことを特徴とし、収容された複数の回線毎にその回線属性を指定し設定して、パッケージの正面パネルに表示する回線属性表示方式。
【００６７】
〔付記項５〕；
上記の〔付記項１〕〜〔付記項４〕（（技術１）〜（技術４））の構成を持つ交換機において、主装置で回線毎にその信号方式の属性種別を設定し記憶する記憶機能と前記の属性種別をパッケージにダウンロードしてその回線属性に従って動作するようにできるダウンロード機能を持つことを、また、パッケージにその回線属性の表示部を持つことを特徴とし、収容された複数の回線毎に主装置からその回線属性を指定し設定した後、パッケージの正面パネルにその回線属性を表示する回線属性表示方式。
【００６８】
また、たとえば、回線属性の表示について、表示ランプによる具体例を示したが、本発明は、そのようなランプによる点灯表示の態様に限らない。
たとえば、液晶を用いて、表示すべき回線属性の内容をあらかじめ定めた所定の「数字」、「記号」、「文字」等により、ディスプレイ面で切換え表示するようにしてもよい。
【００６９】
このようにするとまた、図３にごとくに複数個のランプを使用する態様の場合に比し、適用するパッケージに応じて、ランプの使用個数を異なったものを用意するなどの構成を採用する必要もなく、第１実施例でも第２実施例の場合でも、単一の液晶ディスプレイをひとつ正面パネルに設ければ足り、より簡単化が図れ、特に、第２実施例の態様で本発明を実施する場合には、一層効果的なものとなる。
また、本発明は、たとえば、回線属性の指定、設定は、第１実施例の態様の場合でも、図３のごとくのスイッチによるものに限定されるものでもない。
【図面の簡単な説明】
【図１】  本発明の回線属性表示方式の一実施例の説明に供する図であって、交換機における同実施例の要部部分の概要説明図である。
【図２】  同じく、同実施例に係る表示方式の具体例の説明図である。
【図３】  同じく、同実施例による表示部の一例を示す回線パッケージ正面図である。
【図４】  本発明の他の実施例の説明に供する図であって、交換機における同実施例の要部部分の概要説明図である。
【図５】  同じく、同実施例に係る表示方式の具体例の説明図である。
【図６】  比較例として示す、交換機の接続構成の説明図である。
【図７】  同じく、交換機での回線パッケージと主装置の機能分担の説明に供する図である。
【図８】  同じく、交換機での回線の収容図である。
【符号の説明】
１０  公衆Ｎ−ＩＳＤＮ
２０  Ｉインタフェース専用線網
３０  ディジタル専用線網
４０  専用線網
５０  アナログ専用線網
１００  交換機
１０１  主装置
１０２，１０２−１，１０２−ｎ  回線パッケージ
１０５  回線パッケージ正面パネル
１３１  属性設定手段（主装置側）
１３２  ダウンロード手段（主装置側）
１４１  ＣＣ（中央処理装置）
１４２  ＭＭ（主記憶装置）
１４３  ＮＷ（ネットワーク）
１４４  パッケージとの通信部（通信処理部）
１４５  回線制御部
１５１  ＭＣ（保守コンソール）制御部
１５２  ＭＣ（保守コンソール）
１５３  回線種別部
１５４  ダウンロード送信処理部
１６１  属性設定手段（回線パッケージ側）
１６２  属性表示手段（回線パッケージ側）
１６３  ダウンロード手段（回線パッケージ側）
１７１  回線終端部
１７２  主装置との通信部（通信処理部）
１７３  ＭＰＵ
１７４  ＭＭ（主記憶装置）
１７５  属性設定スイッチ部
１７５（１），１７５（２）  属性設定スイッチ
１７６  ＳＣＮ
１７７  属性表示部（ＤＳＰ）
１７１（１），１７１（２），１７１（３）  属性表示ランプ
１７８  ＳＤ
１７９  回線種別部
１８１  ダウンロード受信処理部
２１１  ＰＲＩ−ＴＲＫ
２１２  Ｄチャネル信号中継線トランク
２１３  個別線信号中継線トランク
２１３′  Ｄチャネル信号中継線トランク
２１４  ＯＤトランク
２１５  ＬＤトランク
２２１  ＰＲＩ−ＬＣ
２２３  ２Ｍ−ＬＣ
２２４  ＯＤ−ＬＣ
２２５  ＬＤ−ＬＣ
【図１】
0003730472.tif 000009
【図２】
0003730472.tif 000010
【図３】
0003730472.tif 000011
【図４】
0003730472.tif 000012
【図５】
0003730472.tif 000013
【図６】
0003730472.tif 000014
【図７】
0003730472.tif 000015
【図８】
0003730472.tif 000016